(57)【要約】【課題】簡易な構成及び低コストにてポールが挿通されるポール挿通部の強度の向上を図ると共に、旗面の表示状態の安定化を図り、有効に宣伝効果を発揮することができる旗を提供すること。【解決手段】旗面を形成する旗生地と、この旗生地に設けられ、旗を支持する支持用ポールが挿通される筒状部を有するポール挿通部と、を備えた旗であって、ポール挿通部を、支持用ポールの挿通方向に沿って相互に固着された少なくとも３枚重ねの生地にて構成し、この少なくとも３枚重ねの生地の所定の生地間に前記筒状部を形成した。【選択図】図１
0003153254.tif 000002
【実用新案登録請求の範囲】
【請求項１】
旗面を形成する旗生地と、
この旗生地に設けられ、旗を支持する支持用ポールが挿通される筒状部を有するポール挿通部と、を備えた旗であって、
前記ポール挿通部を、前記支持用ポールの挿通方向に沿って一部が相互に固着された少なくとも３枚重ねの生地にて構成し、この少なくとも３枚重ねの生地の所定の生地間に前記筒状部を形成した、
ことを特徴とする旗。
【請求項２】
前記ポール挿通部を、折り畳まれることによって重ね合わせられた生地にて構成した、ことを特徴とする請求項１記載の旗。
【請求項３】
前記ポール挿通部を、前記旗生地自体を折り畳んで構成した、ことを特徴とする請求項２記載の旗。
【請求項４】
前記ポール挿通部を、旗の高さ方向に沿って形成した、ことを特徴とする請求項１，２又は３記載の旗。
【考案の詳細な説明】
【技術分野】
【０００１】
本考案は、旗にかかり、特に、支持用ポールが挿通されるポール挿通部を備えた旗に関する。
【背景技術】
【０００２】
従来より、店舗などの広告媒体として、店先や道路周辺などに配置される「のぼり旗」が使用される。こののぼり旗は、例えば、長方形に形成されており、その上端部と側端部がポールにて支持されている。これにより、のぼり旗は、旗面が広げられた状態に維持され、当該旗面に描画された宣伝内容が通行人などに見やすく向けられる。
【０００３】
そして、旗を支持するためのポールが挿通される取付部として、従来より「ちち」と呼ばれる輪状に形成された部材が用いられており、旗の上端部と側端部に所定の間隔にて複数設けられている。このような取付部（「ちち」）の一例を、下記の特許文献１に示す。また、ポールが挿通される取付部の他の構成として、下記の特許文献２に示すように、挿通されたポール全体を覆うよう筒状に袋縫いされたものも用いられている。
【先行技術文献】
【特許文献】
【０００４】
【特許文献１】特許第３２６９７９５号公報
【特許文献２】実用新案登録第３０６５１９３号公報
【考案の概要】
【考案が解決しようとする課題】
【０００５】
しかしながら、旗をポールに取り付ける取付部が、上記特許文献１に示すような輪状の「ちち」の場合では、旗が風に煽られると、旗の下端部分がポールに沿って捲り上がってしまい、旗面に描画された広告内容が隠れてしまう、という問題が生じていた。さらに、輪状の「ちち」は強度も弱く、当該「ちち」が破けてしまう、という問題も生じていた。また、特許文献２に示す袋縫い状の取付部では、強度の点では多少改善されているものの、依然として風に煽られることによって下端部が捲り上がってしまうという不都合が生じ、旗面に描画された宣伝内容を明確に表示させることができず、旗としての機能が失われる、という問題が生じていた。
【０００６】
このため、本考案では、上記従来例の有する不都合を改善し、特に、簡易な構成及び低コストにてポールが挿通されるポール挿通部の強度の向上を図ると共に、旗面の表示状態の安定化を図り、有効に宣伝効果を発揮することができる旗を提供する、ことをその目的とする。
【課題を解決するための手段】
【０００７】
そこで、本考案の一形態である旗は、旗面を形成する旗生地と、この旗生地に設けられ旗を支持する支持用ポールが挿通される筒状部を有するポール挿通部と、を備えた旗であって、ポール挿通部を、支持用ポールの挿通方向に沿って一部が相互に固着された少なくとも３枚重ねの生地にて構成し、この少なくとも３枚重ねの生地の所定の生地間に筒状部を形成した、ことを特徴としている。
【０００８】
そして、上記構成において、ポール挿通部を、折り畳まれることによって重ね合わせられた生地にて構成すると望ましく、特に、ポール挿通部を、旗生地自体を折り畳んで構成するとなお望ましい。また、ポール挿通部を、旗の高さ方向に沿って形成するとよい。
【０００９】
また、旗を支持する支持用ポールが挿通されるポール挿通部を形成する方法は、旗面を形成する旗生地が少なくとも３枚重ねになるよう折り畳むと共に、この少なくとも３枚重ねの生地の一部を支持用ポールの挿通方向に沿って相互に固着し、当該少なくとも３枚重ねの生地の所定の生地間に支持用ポールが挿通可能な筒状部を形成する、ことを特徴としている。
【００１０】
そして、ポール挿通部形成方法は、より具体的には、旗面を形成する旗生地が２枚重ねになるよう折り畳むと共に、この２枚重ね生地を折り目側とは反対側に位置する開口側付近で支持用ポールに沿って相互に固着し、２枚重ね生地をさらに旗生地に対して折り畳んで３枚重ねとし、その開口側付近で当該３枚重ね生地を相互に固着し、これにより、３枚重ね生地の所定の生地間に支持用ポールが挿通可能な筒状部を形成する、ことを特徴としている。
【００１１】
なお、上記方法の重ね合わせられた生地の固着する工程では、当該生地を相互に縫い合わせることによって行う、こととすると望ましい。
【００１２】
上記考案によると、生地を折り畳むなどにより少なくとも３枚以上の生地を重ね合わせて、いずれかの生地間を筒状に形成して、ポール挿通部を形成している。このように、複数枚に重ね合わせられた生地にて構成しているため、簡易な構成かつ低コストにてポール挿通部の強度の増加を図ることができる。このため、風などの外力によってポール挿通部が挿通されているポールに沿って移動する力が生じたとしても、これに対する抵抗力が増加しており、かかる移動を抑制することができる。従って、旗の旗面部分が広げられた状態に維持することができるため、旗面に描画された内容を明確に表示させることができ、旗としての宣伝効果を有効に発揮することができる。そして、特に、ポール挿通部を旗生地自体を折り畳んで形成することで、旗全体を一枚の旗生地で構成することができ、強度の増加を図ることができると共に、製造コストの低減を図ることができる。さらに、旗の高さ方向に沿って形成されたポール挿通部を上記構成にすることで、旗の高さ方向に挿通されたポールに沿って旗面が捲り上がることを有効に抑制することができ、旗の表示状態を維持することができる。
【考案の効果】
【００１３】
本考案は、以上のように構成され機能するので、これによると、風などの外力によってポール挿通部がポールに沿って移動することが抑制されるため、旗の旗面部分が常時適切に広げられた状態で保持され、旗面に描画された内容を明確に表示させることができる。そして、簡易な構成であるため、低コストにて製造することができると共に、旗としての宣伝効果をより有効に発揮させることができる、という従来にない優れた効果を有する。
【図面の簡単な説明】
【００１４】
【図１】実施例１における旗の構成を示す図である。
【図２】図１に開示した縦ポール挿通部の形成手順を説明する図である。
【図３】図１に開示した縦ポール挿通部の形成手順を説明する図であり、図２の続きを示す。
【図４】実施例２における旗の縦ポール挿通部の形成手順を説明する図である。
【図５】実施例２における旗の縦ポール挿通部の形成手順を説明する図であり、図４の続きを示す。
【考案を実施するための形態】
【００１５】
本考案は、旗を支持するポールが挿通されるポール挿通部が当該ポールに沿って移動しないよう、当該ポール挿通部の強度を増加させることに特徴を有する。以下、具体的な構成及び作用を、実施例を参照して説明する。なお、実施例では、店舗などの広告として店先に設置する「のぼり旗」を本考案である旗の一例として説明するが、スポーツ応援用の旗など、ポールにて支持され、このポールが挿通されるポール挿通部を有する旗であれば、いかなる用途の旗であってもよい。
【実施例１】
【００１６】
本考案の第１の実施例を、図１乃至図３を参照して説明する。図１は、本実施例における旗の全体構成を示す図であり、図２は、ポール挿通部の形成手順を示す説明図である。
【００１７】
図１に、本考案における旗を示す。図１（ａ）は旗の表面側を示し、図１（ｂ）は旗の裏面側を示す。この図に示すように、本実施例における旗は、略長方形状の旗面（図１（ａ）で右側部分）と、略三角形状の旗面（図１（ｂ）で左側部分）とが一体的に結合した旗面１を有し、１枚の旗生地にて構成されている。なお、本実施例における旗生地は、例えば、０．２ｍｍの厚みを有するトロピカル生地である。但し、旗生地は、ポンジ生地などいかなる生地、材料にて形成されていてもよい。
【００１８】
そして、略長方形状の旗面と略三角形状の旗面との結合部分には、縦方向に沿って形成された筒状の縦ポール挿通部３（ポール挿通部）が形成されて設けられており、また、旗の上端部には縦ポール挿通部３を挟んで横方向に沿って形成された筒状の横ポール挿通部２（ポール挿通部）が形成されている。そして、この旗は、使用される際には、略Ｔ字状に交わる縦ポール５と横ポール４とが、それぞれ縦ポール挿通部３と横ポール挿通部２とに挿通され、これら各ポール５，４（支持用ポール）によって旗面１が広げられた状態に支持される。なお、縦ポール５の下端部は、支持部材（図示せず）に固定されることにより、旗は立てられた状態で店先などに設置される。そして、この旗を屋外などに設置して、旗面に描画した広告宣伝内容などを他者に通知すべく使用される。
【００１９】
次に、縦ポール挿通部３の構成及び形成方法にて、図２乃至図３を参照して説明する。なお、横ポール挿通部２は、既に旗生地の上端部が２つに折り畳まれ、その折り目（上端側）とは反対側の開口側付近で、２枚に重ねられた状態で相互に縫い合わせられることにより、形成されている。これにより、筒状に形成された横ポール挿通部２には、横ポール４が挿通可能となる。
【００２０】
そして、縦ポール挿通部３は、まず、図２（ａ）に示すように、１枚の旗生地のほぼ中央部分、つまり、左右の旗面の間部分が、旗の高さ方向（図１の縦方向）に沿った折り目にて２つに折り畳まれる。具体的には、符号３１に示す部分を折り目として、符号３２及び符号３３に示す生地部分が重ね合わせられ、これにより、２枚重ね生地部分３２，３３が形成される。そして、この２枚重ね生地部分３２，３３を、折り目３１側とは反対側に位置する開口側３４付近で、図２（ｂ）に示すように、旗の高さ方向に沿って相互に縫い合せる。このときの縫い目を符号３５に示す。
【００２１】
続いて、２枚重ね生地部分３２，３３を、図２（ｂ）の矢印Ａに示すように、縫い目３５を折り目としてさらに旗生地側に折り畳む。つまり、符号３３に示す生地部分が、横ポール挿通部２間に位置する符号３６に示す旗生地部分に対面するよう折り畳む。すると、上述した２枚重ね生地部分３２，３３にさらに符号３６に示す生地部分が重ね合わせられて、３枚重ね生地部分３２，３３，３６が形成される。そして、この３枚重ね生地部分３２，３３，３６にする際の折り目（符号３５に示す側）とは反対側に位置する開口側付近、つまり、符号３１の２枚重ね時の折り目付近と符号３６に示す生地部分との重ね合わせ箇所付近で、図３（ａ）に示すように、旗の高さ方向に沿って重ね合わせられた３枚を相互に縫い合せる。このときの縫い目を符号３７に示す。
【００２２】
このように、旗生地を、高さ方向に沿った折り目にて所定の幅を有して３枚重ねになるよう折り畳み、その一部である幅方向の両端付近で高さ方向に沿ってそれぞれ縫い合わせることで（符号３５，３７の縫い目を参照）、縦ポール挿通部３を形成している。これにより、重ね合わせられた各生地の間は、筒状となっている。例えば、図３（ａ）に示すように、符号３６の生地と、符号３２，３３の生地との間には、符号３８に示す筒状部が形成される。そして、この筒状部３８には、縦ポール５を挿通させることができる。なお、符号３２の生地と、符号３３の生地との間を筒状部３８として、縦ポール５を挿通してもよい。
【００２３】
以上のように構成することで、縦ポール挿通部３の筒状部３８は、その約半周が２枚重ねとなって形成されているため（符号３２，３３に示す生地部分）、その強度が増加される。このため、風などの外力によって、ポール挿通部３が縦ポール５に沿って捲り上がるような力が生じたとしても、これに対する抵抗力が増加しており、捲り上がりを抑制することができる。従って、旗の旗面部分を広げられた状態に維持することができるため、旗面に描画された内容を明確に表示させることができ、旗としての宣伝効果を有効に発揮することができる。
【００２４】
特に、本実施例では、１枚の旗生地を折り畳んで縦ポール挿通部３を形成しているため、旗全体を一枚の旗生地で構成することができ、さらなる強度の増加を図ることができると共に、製造コストの低減を図ることができる。なお、本実施例では、縦ポール挿通部３のみを３枚重ねにして形成するよう記載しているが、横ポール挿通部２を上述同様に３枚重ねに形成してもよい。
【００２５】
ここで、上記では、２枚重ね生地部分３２，３３を形成した直後に、これらを符号３５に示すように縫い合わせるよう説明したが、はじめに３枚重ね生地部分３２，３３，３６を形成するよう折り畳み、その後に、３枚重ね生地部分の幅方向の両端を、符号３５及び符号３７に示すように、縫い合わせてもよい。
【００２６】
また、上記では、縦ポール挿通部３を３枚重ねに形成する場合を例示したが、４枚以上に重ね合わせて構成して、重ね合わせられたいずれかの生地間に縦ポール５が挿通可能な筒状部３８を形成してもよい。これにより、さらに強度の向上を図ることができる。
【００２７】
さらに、上記では、１枚の旗生地を折り畳んで縦ポール挿通部３を構成する場合を例示したが、旗生地とは一体的ではなく分離した他の生地を重ね合わせて縫い合わせることで、縦ポール挿通部３を形成してもよい。また、重ね合わせられた生地を縫い合わせて筒状部３８を形成する場合を例示したが、生地の素材によっては、他の方法で、重ね合わせられた生地の一部（例えば、符号３５，３７に示す箇所）を相互に固着してもよい。例えば、旗生地がビニール製である場合には、熱溶着させることで、符号３５及び符号３７に示す点線に沿って各生地間を固着してもよい。
【実施例２】
【００２８】
次に、本考案の第２の実施例を、図４乃至図５を参照して説明する。図４乃至図５は、本実施例における旗のポール挿通部の形成手順を示す説明図である。
【００２９】
まず、本実施例における旗は、図５（ｂ）に示すように、旗面１０及び全体が略長方形状であり、その短辺が上端部及び下端部に位置し、長辺が高さ方向に位置して使用されるものである。そして、旗面１０の上端側の短辺には、筒状の横ポール挿通部２０が形成され、一方の側端（右端）には、高さ方向に沿って筒状の縦ポール挿通部３０が形成されている。これにより、旗を支持する縦ポール５０及び横ポール４０が挿通可能となる。以下、縦ポール挿通部３０の構成及び形成手順を、図を参照して説明する。なお、横ポール挿通部２０は、上述同様に、既に旗生地の上端部に形成されているものとする。但し、以下に説明するように、縦ポール挿通部３０と同様の方法にて、３枚以上の重ねられた生地にて形成してもよい。
【００３０】
縦ポール挿通部３０は、まず、図４（ａ）に示すように、１枚の旗生地の横方向の一端部分１３０（側端部分）が、高さ方向（図５（ｂ）の縦方向）に沿った折り目にて２つに折り畳まれる。具体的には、符号１３１に示す部分を折り目として、符号１３２及び符号１３３に示す生地部分が重ね合わせられ、これにより、２枚重ね生地部分１３２，１３３が形成される。そして、この２枚重ね生地部分１３２，１３３を、折り目１３１側とは反対側に位置する開口側１３４付近、つまり、折り返された旗生地の横方向の一端部分１３０側で、図４（ｂ）に示すように、一部を旗の高さ方向に沿って相互に縫い合せる。このときの縫い目を符号１３５に示す。
【００３１】
続いて、２枚重ね生地部分１３２，１３３を、図４（ｂ）の矢印Ｂに示すように、縫い目１３５を折り目としてさらに旗生地側に折り畳む。つまり、符号１３３に示す生地部分が、符号１３６に示す旗生地に対面するよう折り畳む。すると、上述した２枚重ね生地部分１３２，１３３にさらに符号１３６に示す生地部分が重ね合わせられて、３枚重ね生地部分１３２，１３３，１３６が形成される。そして、この３枚重ね生地部分１３２，１３３，１３６の折り目（符号１３５に示す側）とは反対側に位置する開口側付近、つまり、符号１３１の２枚重ね時の折り目付近と符号１３６に示す生地部分との重ね合わせ箇所付近で、図５（ａ）に示すように、一部を旗の高さ方向に沿って相互に縫い合せる。このときの縫い目を符号１３７に示す。
【００３２】
このように、所定の幅が設けて高さ方向に沿って３枚重ねになるよう折り畳み、その幅方向の両端付近で高さ方向に沿って縫い合わせている。これにより、各生地の間は、筒状となっている。例えば、図５（ａ）に示すように、符号１３６の生地と、符号１３２，１３３の生地との間には、符号１３８に示す筒状部が形成される。そして、この筒状部１３８には、縦ポール５０を挿通させることができる。
【００３３】
ここで、上述したように、はじめに３枚重ね生地部分１３２，１３３，１３６を形成するよう折り畳み、その後に、幅方向の両端を、符号１３５及び符号１３７に示すように、縫い合わせてもよい。なお、符号１３５に示す縫い合わせは、必ずしもは必要ではない。
【００３４】
そして、本実施例のように縦ポール挿通部３０が旗の端に形成される場合であっても、上記実施例１で説明したように、この縦ポール挿通部３０を４枚以上の生地を重ね合わせて構成してもよく、旗生地とは一体的ではなく分離した他の生地を重ね合わせて形成してもよい。さらには、生地の素材によっては、縫い合わせることなく、他の方法で、重ね合わせられた生地を相互に固着してもよい。
【産業上の利用可能性】
【００３５】
本考案は、店舗の宣伝に用いるのぼり旗をはじめとして、スポーツ競技における応援用旗など種々の旗にも利用することができ、産業上の利用可能性を有する。
【符号の説明】
【００３６】
１  旗面部
２，２０  横ポール挿通部
３，３０  縦ポール挿通部
４，４０  横ポール
５，５０  縦ポール
３８，１３８  筒状部
【図１】
0003153254.tif 000003
【図２】
0003153254.tif 000004
【図３】
0003153254.tif 000005
【図４】
0003153254.tif 000006
【図５】
0003153254.tif 000007